(57)【要約】  表示ピクセルの行及び列の配列を有する表示デバイスを駆動する方法が提供され、各ピクセルは表示状態をコントロールするように移動させる粒子を含む。表示アドレッシングモードは、表示デバイス上に出力画像を書き込むように設置され、ライン・バイ・ライン法の部分的書込み機能（一時的なストレージ電極へ）及び該表示デバイスの描画を完成させる並列書込み機能を持つ。これは、ラインタイムの縮小するためにライン・バイ・ライン段階において粒子の移動距離が減らされるため、アドレッシング・タイムの縮小を可能にする。次に、書込みが並列段階によって表示デバイス全体で終了し、全体の描画時間が減少する。さらに速いラインの書込みさえも可能にするモードが提供されており、これは画像をさらに速く修正するのに使用することが可能だが、単純なラインに基づいた修正のみ可能である。
2010511200.tif 000002
【特許請求の範囲】
【請求項１】
表示ピクセルの行及び列の配列を有する表示デバイスを駆動させる方法であり、各ピクセルが該ピクセルの表示状態をコントロールするように移動する粒子を含み、当該方法は、
第1表示アドレッシングモードにおいて、粒子が行毎にコレクタ電極から一時的なストレージ電極へ駆動される第1駆動段階、及び前記表示デバイス全体の粒子が前記一時的なストレージ電極から表示エリアに移動させられる第2駆動段階を使用した、前記表示デバイスを順次的に行毎にアドレッシングをする段階；及び
第2表示アドレッシングモードにおいて、ピクセルのラインに対して粒子を前記コレクタ電極及び前記表示エリアとの間で直接的に平行に駆動する段階；
を含む方法。
【請求項２】
前記第2表示アドレッシングモードが前記第1表示アドレッシングモードによって既に出力された画像を修正するのに使用される、請求項1に記載された方法。
【請求項３】
前記第2表示アドレッシングモードが暗色のライン又はラインの束がある前記表示デバイスの領域に上書きするのに使用される、請求項2に記載された方法。
【請求項４】
前記第2表示アドレッシングモードが淡色のライン又はラインの束を書き込むことによって前記表示デバイスの領域を消すのに使用される、請求項2に記載された方法。
【請求項５】
前記第2表示アドレッシングモードがライン又はラインのグループの点滅を実施するのに使用される、上記の請求項のいずれか1項に記載された方法。
【請求項６】
前記第1表示アドレッシングモードが第1サブモード及び第2サブモードの一方又は両方を有し、該第1サブモードは最も明るいピクセルと最も暗いピクセルの間の第1コントラスト比で第1画像を表示する能力を有し；該第2サブモードは前記第1コントラスト比よりも値の大きい、最も明るいピクセルと最も暗いピクセルの間の第2コントラスト比で第2画像を表示する能力を有する、上記の請求項のいずれか1項に記載された方法。
【請求項７】
前記第1サブモードにおいて、前記第1画像が最も明るいピクセルの出力状態、最も暗いピクセルの出力状態、及び複数個の中間のグレーレベルの出力状態を有する、請求項6に記載された方法。
【請求項８】
前記第1アドレッシングモードが、前記第1コントラスト比で第1画像を生成する前記第1サブモード及び該第1画像のコントラスト比を改善する前記第2サブモードを有する、請求項6又は7に記載された方法。
【請求項９】
前記第1アドレッシングモードが、表示した画像において前記第1サブモード及び前記第2サブモードのどちらか1つだけ有する、請求項6又は7に記載された方法。
【請求項１０】
前記第1コントラスト比が４：１に等しい又はそれ以下である、請求項6乃至9のいずれか1項に記載された方法。
【請求項１１】
パッシブマトリックス式電気泳動表示デバイスを駆動する、上記の請求項のいずれか1項に記載された方法。
【請求項１２】
アクティブマトリックス式電気泳動表示デバイスを駆動する、請求項1乃至10のいずれか1項に記載された方法。
【請求項１３】
インプレーン型スイッチング式電気泳動表示デバイスを駆動される、上記の請求項のいずれか1項に記載された方法。
【請求項１４】
各ピクセルが最大コントラストレベルまで駆動する、上記の任意の請求項に記載された方法であり、各ピクセルが該最大コントラストレベルよりも優れたコントラストレベルを可能にする粒子の数を有した表示デバイスを駆動させる、方法。
【請求項１５】
粒子の数が最大コントラストレベルの達成を可能にするのに必要な数よりも5%乃至15%の数だけ多い、請求項14に記載された方法。
【請求項１６】
表示ピクセルの行及び列の配列及び前記表示デバイスを制御するコントローラーを有する電気泳動表示デバイスであり、該コントローラーが請求項1乃至15のいずれか1項に記載された方法を実施するように適合されている、電気泳動表示デバイス。
【請求項１７】
各ピクセルが最大コントラストレベルまで駆動されるように適合されており、各ピクセルが該最大コントラストレベルよりも優れたコントラストレベルを可能にする粒子の数を有する、請求項16に記載されたデバイス。
【請求項１８】
請求項1乃至15のうちいずれか1項に記載された方法を実施するように適合された、電気泳動表示デバイスの表示デバイス・コントローラー。
【発明の詳細な説明】
【技術分野】
【０００１】
本発明は、粒子の移動を使用した表示デバイスに関する。この種の表示デバイスの一例として、電気泳動表示デバイスがある。
【背景技術】
【０００２】
電気泳動表示デバイスは双安定表示デバイス技術の一例であり、電界範囲内の荷電粒子の移動を使用して、選択的な光拡散又は吸収機能を提供する。
【０００３】
ある一例では、白い粒子が吸収性液体の中に浮遊しており、該粒子をデバイスの表面に移動させるのに電界を使用することができる。この位置では、表示デバイスが白く見えるように光拡散機能を実施することがある。上の表面から遠ざかる移動によって、例えば黒などの液体の色が見える。他の一例では、透明な液体の中に2種類の粒子（例えば黒い負荷電粒子と白い正荷電粒子）が浮遊する。多くの異なった構成が可能である。
【０００４】
電気泳動表示デバイスはその双安定性（画像が電圧を印加せずに維持できる）の結果、低消費電力を可能にすると認識されており、バックライトや偏光子が不要であるため、薄型で明るい表示デバイスの形成を可能にする。それらはまた、プラスチック材料から製造されることもあり、そのような表示デバイスの製造では低価格のリール・ツー・リールプロセスも可能である。
【０００５】
興味を引く応用の一例に、電子棚札がある。これらは、小売業者にいくつかの利点を提供する。まず第1に、価格更新はボタンを触る時点で実施されるが、標準の紙の棚札である場合、従業員が全ての棚の周りを巡回し手動で価格を調整する必要がある（時間がかかりエラーが発生しやすい）。第2に電子棚札は、関連情報のみの表示デバイスの可能性を提供する。例えば、開店時間外において小売業者が棚のスペースを計画している時、電子棚札は棚の商品の配置、現在の在庫や新しい供給品の到着日を表示できる。開店時間中には製品情報、価格や特別割引価格などの消費者に関する情報を表示できる。
【０００６】
価格を可能な限り低く保つ場合、パッシブ・アドレッシング（直接ドライブ）法が適用される。表示デバイスの最も単純な形態は分割型反射表示デバイスであり、この種類の表示デバイスで間に合う応用が多数ある。分割型反射表示デバイスは低消費電力及び良好な輝度を有し、駆動中には双安定動作をする。従って、表示デバイスがオフの時にも情報を表示デバイスすることが出来る。
【０００７】
パッシブマトリックス法を使用した既知の電気泳動表示デバイス及び閾値を持つ粒子には、底部に位置する電極レイヤー、透明又は着色液体の中で浮遊する閾値を持つ粒子を収容する表示デバイス媒体レイヤー、及び上部の電極レイヤーを含む。上部及び・又は底部の電極レイヤーにはバイアス電圧が選択的にかけられ、バイアスがかけられた電極に連結している表示デバイス媒体部分の状態が調節される。
【０００８】
電気泳動表示デバイスの１つの特殊なタイプは、「インプレーン型スイッチング方式」と呼ばれる。この種のデバイスは、選択的及び横方向に表示デバイス物質レイヤーの粒子の運動を使用する。粒子が側電極に向かって動かされた時、粒子間に隙間が生じ、それを通して下層の表面及び粒子の色が見える。粒子は着色され、下層表面は黒又は白であってもよく、あるいは粒子が黒又は白で下層表面が着色されていてもよい。
【０００９】
インプレーン型スイッチング方式の利点は、デバイスが透過式操作又は透過反射式（transflective）操作に適合することができることである。特に、反射式操作及び透過式操作の両方を、物質を通して実施することができるように、粒子の移動は光の通路を作る。これは、反射式操作よりもむしろバックライトを使用した照射を可能にする。インプレーン型電極は全てが一方の基板上にあるか、あるいは両方の基板にあってもよい。
【００１０】
アクティブマトリックス・アドレッシング法は、電気泳動表示デバイスに同様に使用され、これらは一般的に、速い画像更新が高コントラスト及び多くのグレースケール・レベルを有する明るいフルカラーの表示デバイスに望まれる時に必要となる。そのようなデバイスは信号や広告用掲示板の表示デバイスに適用するために開発され、同様に電子ウィンドウの（ピクセルで構成された）光源及び周囲照明への適用にも開発された。色はカラーフィルター又は減色の原理の適用によって組み入れられ、表示ピクセルは次にグレースケール・デバイスとして単純に機能する。下記の説明は、グレースケール及びグレーレベルについて触れているが、当然のことながらいずれの場合もモノクロ・表示デバイス機能だけを示してはない。
【００１１】
本発明はこれらの技術両方に適合するが、パッシブマトリックス式表示デバイス技術にとって特に興味深いものであり、さらにインプレーン型スイッチング方式のパッシブマトリックス式表示デバイス技術にとっては特に興味深いものである。インプレーン型電気泳動表示デバイスは例えば、電子棚札の実現を確実にする技術である。上記で概説した利点に加えて、該技術は紙のような外観を持ち、消費者が慣れているように全ての角度から読み取ることができる。電気泳動表示デバイスは通常、複雑な駆動信号によって駆動される。例えばひとつのピクセルのグレーレベルを切り替える際にしばしば、白又は黒のリセット段階にまず切り替え、そして最終的なグレーレベルに切り替える。グレーレベルからグレーレベルへの遷移及び黒／白からグレーレベルへの遷移は速度が遅く、黒から白、白から黒、グレーから白又はグレーから黒への遷移よりも複雑である。
【００１２】
電気泳動表示デバイスの典型的な駆動信号は複雑であり、例えば遷移速度を上げることや画質を改善することなどを目的とした「振動（shaking）」パルスなどの異なったサブシグナルから構成されることもある。
【００１３】
既知の駆動法に関するさらなる考察は、特許文献1及び特許文献2で参照することができる。
【先行技術文献】
【特許文献】
【００１４】
【特許文献１】国際公開第2005／071651号パンフレット
【特許文献２】国際公開第2004／066253号パンフレット
【発明の概要】
【発明が解決しようとする課題】
【００１５】
電気泳動表示デバイスの、特にパッシブマトリックス式タイプのひとつの重要な問題は、表示デバイスへの画像のアドレッシングにかかる時間である。このアドレッシング・タイムは、ピクセルの出力が該ピクセルのセル内の粒子の物理的位置に依存することに起因し、粒子の移動はある一定の時間を必要とする。アドレッシングの速度は様々な測定によって増加させることができる。例えば短い距離でのピクセルの動作のみ必要なピクセル・バイ・ピクセル法による画像データの書込みを提供し、その後に表示デバイス全体のピクセル・エリアに粒子を分散させる水平粒子分散段階が続く。
【００１６】
これらの測定法を用いても、大型パッシブマトリックス式表示デバイスの表示アドレッシングは数分どころか数時間かかる。これは大型の電気泳動表示デバイスの使用を、例えば広告掲示板の適用などの、更新が頻繁にされない静止画像用の表示デバイスに限定する。
【００１７】
電子棚札の応用などのためのさらに小型の表示デバイスでも、300ミクロン・サイズのピクセル100行のライン・バイ・ライン法を用いたパッシブマトリックス式アドレッシングには全体画像の更新には概ね15分もかかる。これは、電子棚札が小売業者のモード状態にある時には受け入れ難いほど遅い。小売業者が電子棚情報を製品の物理的な配置に沿って調整する必要がある場合、ずっと速いレスポンスタイムが必要とされる。
【００１８】
従ってそのようなパッシブマトリックス式表示デバイスでは、アドレッシング・タイムを縮小する必要がある。
【課題を解決するための手段】
【００１９】
本発明によれば、表示デバイス・ピクセルの行及び列の配列を有する表示デバイスの駆動方法が提供され、それぞれのピクセルがその表示デバイスの状態を制御するように移動させる粒子を含んでいる。該方法は、第1表示アドレッシングモードにおいて、コレクタ電極から一時的なストレージ電極へ粒子を行毎に移動させる（ロー・バイ・ロー法）第1駆動段階、及び一時的なストレージ電極から表示エリアまで表示デバイス全体の粒子を平行移動させる第2駆動段階を使用した表示デバイスの行毎の順次的なアドレッシング；また、第2表示アドレッシングモードにおいて、表示デバイス画面とコレクタ電極の間の粒子を直接平行移動させる駆動；を含む。
【００２０】
この方法は、表示デバイス上に出力画像の書込みを行う表示アドレッシングモードを有し、ライン・バイ・ライン法で部分的に（一時的なストレージ電極に）書込みを行う操作及び表示デバイスの書込みを実行させる並列書込み操作を有す。これは、ラインタイムを縮小できるように粒子の移動距離をライン・バイ・ライン段階で減らしたことから、アドレッシング・タイムの縮小を可能にする。続いて書込みは並列段階で全ての表示デバイスで完了し、全体的な書込み時間は縮小する。しかし、さらに速いラインの書込みまでもが可能になるモードが提供されており、画像をさらに速く修正することに使用できるが、そのモードはラインに基づいた単純な修正しかできない。
【００２１】
第2表示アドレッシングモードは、第1表示アドレッシングモードを使用して既に出力した画像の修正に使用することができ、例えば画像の中の無効になった情報を削除したり線を引いて消したりすることができる。
【００２２】
第2表示アドレッシングモードは従って、淡色の線又は複数の線の束を暗色の線又は複数の線の束が書かれている表示デバイスの領域に上書きすることによって該領域を消去するのに使用することができる。
【００２３】
第2表示アドレッシングモードは複数のライン又は複数のライングループの点滅を実行することができる。
【００２４】
第1表示アドレッシングモードは、第１及び第2サブモードの一方又は両方を含み、第1サブモードでは最も明るいピクセルと最も暗いピクセルの間の第1コントラスト比で第1画像が表示デバイスされ；第2サブモードでは、最も明るいピクセルと最も暗いピクセルの間の第1コントラスト比よりも高い第2コントラスト比で第2画像が表示デバイスされる。
【００２５】
この特徴は、高速の最初のサブモードを提供し、下図の画像を見ることを可能にする。この第1サブモードは画像のグレースケール内容を保持する。アドレッシングはなるべく行毎に（ロー・バイ・ローで）行い、各列の複数の行が同時に並行して行われるようにする。このような方法では、第1サブモードのアドレッシング・タイムが可能な限り縮小でき、コントラストの減少はアドレッシング・タイムのさらなる縮小を可能にする。
【００２６】
第2サブモードは、なるべく最大のグレーレベル数で画像を表示するようにする。この最大数が、該表示デバイスの限度である。このような方法では、進歩的な表示デバイス操作によりコントラスト比及びグレーレベル数の両方を増加させることができる。
【００２７】
第1サブモードは第1コントラスト比を用いた第1画像の生成に使用でき、第1サブモードは第1画像の第1コントラスト比を改善するのに使用できる。あるいは、第1アドレッシングモードは表示した画像において第1サブモード及び第2サブモードのうち1つだけ含んでもよい。従って、いくつかの画像は低いコントラストで表示するだけでよく、第1サブモードだけが必要になる。
【００２８】
第1コントラスト比は6:1又はそれ以下、４：１又はそれ以下、あるいは２：１又はそれ以下であってもよい。
【００２９】
該方法は、なるべくインプレーン型パッシブマトリックス式電気泳動表示デバイスの駆動用にする。
【００３０】
第1サブモードは電気泳動粒子の移動を起こすように、時間毎のアドレッシング電圧の印加を含んでもよい。電圧は最大限、全てのグレーレベルにある電気泳動粒子が望まれる状態に達するのに必要な時間のうちのわずかの時間に印加される。
【００３１】
このような方法では、粒子の最も大きい移動を必要とする状態に達することができなく、その結果コントラストが失われる。また、これは表示デバイスが黒い背景に白い粒子があるように操作された場合、輝度の喪失も示す。
【００３２】
本発明はまた、表示デバイス・ピクセルの列及び行の配列、及び表示デバイスを制御するコントローラーを含む電気泳動表示デバイスを提供し、該コントローラーは本発明の方法を実施するように適合されている。
【００３３】
本発明はまた、電気泳動表示デバイスの表示デバイス・コントローラーを提供し、該コントローラーは本発明の方法を実施するように適合されている。
【図面の簡単な説明】
【００３４】
【図１】基盤技術を解説するため、一種の既知のデバイスを図式的に表す；
【図２】本発明に適用ができる、もう一種の既知のデバイスを平面図に表す；
【図３】図2の表示デバイスがどのように駆動されるか表す；
【図４】図2の表示デバイスがどのように駆動されるか表す；
【図５】図2の表示デバイスがどのように駆動されるか表す；
【図６】画像のコントラストと該画像の生成に使用したラインタイムの関係を表す；
【図７】低コントラストの画像を提供する、表示デバイスデータの異なった修正法を表す；
【図８】低コントラストの画像を提供する、表示デバイスデータの異なった修正法を表す；
【図９】低コントラストの画像を提供する、表示デバイスデータの異なった修正法を表す；
【図１０】低コントラストの画像を提供する、表示デバイスデータの異なった修正法を表す；
【図１１】ピクセル電極の配置の他の例を表す；
【図１２】追加的な図11に似たピクセル配置がどのように駆動されるか表す；
【図１３】図11に似たデバイスのコントラスト比とラインタイムの関係を表す；
【図１４】操作の追加のモードを説明する；
【図１５】図14に参照し説明された操作モードのコントラスト比とラインタイムとの関係を表す；
【図１６】図14に参照し説明された操作モードの変更点を説明する；及び
【図１７】A及びBは、本発明の高速ライン・アドレッシング機能の第1及び第2に可能な使用を表す；
【図１８】本発明のラピッド・ライン・アドレッシング機能の第3に可能な使用を表す；
【図１９】本発明のラピッド・ライン・アドレッシング機能の第4に可能な使用を表す；及び
【図２０】本発明の表示デバイスを表す。
【発明を実施するための形態】
【００３５】
本発明は、出力画像を表示デバイスに書き込むノーマル・アドレッシングモードを有する表示デバイスの駆動方法を提供し、該方法はライン・バイ・ライン法による（一時的なストレージ電極への）部分的な書込み機能及び表示デバイスへの書込みを完了させる並列書込み機能を有する。その上、高速ライン書込み又は消去モードはさらに高速のライン書込みさえも可能にし、画像をさらに速く修正することにも使用できる。ただし、ラインに基づく単純な修正のみ可能である。
【実施例１】
【００３６】
本発明についてさらに詳細に説明する前に、本発明を適用することが可能な表示デバイスの種類の一例を手短に説明する。
【００３７】
図1は本発明の説明に使用する表示デバイス2の種類の一例を表し、インプレーン型スイッチング方式パッシブマトリックス式透過表示デバイスの1つの電気泳動表示デバイス・セルを表す。
【００３８】
該セルは側壁4によって境界づけられ、電気泳動インク粒子6が収容される容積を定める。図1の例は、光源（表示デバイスではない）からの照明8及びカラーフィルター10を通したインプレーン型スイッチング方式透過ピクセルの配置である。
【００３９】
セル内の粒子の位置は、共通電極12、列導体で操作するストレージ電極14及び行導体で操作するゲート電極16によって制御される。任意的にピクセルは、1つ又は複数の追加のコントロール電極を有してもよく、例えばセルの粒子の運動をさらに制御するために共通電極とゲート電極との間に位置してもよい。
【００４０】
電極1２：１4及び16の相対電圧は、粒子が静電力下においてストレージ電極14へ移動するか駆動電極12へ移動するかを決定する。
【００４１】
ストレージ電極14（コレクタとしても知られている）は、粒子が遮光体18によって視野から隠れる領域を定める。ストレージ電極14上の粒子によって、ピクセルは光学的に透過状態になり、照明8が表示デバイスの反対側の観察者まで届くことを可能にする。ピクセルの開口は、該ピクセルの全体的な寸法に相対した光透過口のサイズによって定められる。任意的に、表示デバイスは光源を反射面に差し替えた反射素子でもよい。
【００４２】
リセット段階では、粒子はストレージ電極14に収集される。表示デバイスのアドレッシングは粒子を電極12の方向へ移動させ、ピクセルの表示エリアに分散するようにする。
【００４３】
図1は3つの電極を有するピクセルを表し、ゲート電極16はパッシブマトリックス方式アドレッシング法を使用して各ピクセルの独立制御を可能にする。
【実施例２】
【００４４】
図2から図5まではわずかに異なった3つの電極を持つピクセルの動作をさらに詳細に説明し、平面図でピクセルの配置を表す。
【００４５】
図2では、第1列電極20が共通リザーバ電極22に接続する。列電極20はスパーズ（spurs）23を含む。第2列電極（データ電極）24はピクセル電極26に接続し、ゲート／選択電極28が行毎に走る。この場合も1ピクセルに3つの電極がある。この例では、ストレージ電極23は共通電極として配置され、ピクセル電極26はデータ列に結合される。
【００４６】
ピクセル電極はピクセル内の可視部の中へ粒子を移動させるのに使用され、図2ではピクセル電極26がピクセル・エリアのほとんどを占めるように表わしている。それぞれのピクセル・エリアは図2においてエリア30として示されており、他のピクセル・エリアと物理的に離すことができる。リザーバ電極20、22、23は粒子をピクセルの隠れた部分に横方向に移動するのに使用される。ゲート電極28は、粒子が選択されたラインではなく全てのラインにおいてリザーバの部分からピクセルの可視部へ移動することを防ぐのに使用するため、ピクセルの行毎の操作を可能にする。
【００４７】
ゲート電極28はリザーバ電極とピクセル電極の間の電界を遮断するように機能し、ピクセル電極にかかる駆動電圧が、選択された、電界が遮断されていない行のみの粒子を移動させる。
【００４８】
このゲート電極28はパッシブアドレッシング法の結果必要であり、それは選択されていない行ではなく選択された行へ異なった条件を提供するのに必要である。
【００４９】
図3から図5までは、電圧が図2のピクセル設計の3つの電極にかけられる様子の一例を表わし、荷電粒子がどう移動するか示す。説明として、左の列のピクセルは「書込み済み」となり粒子はピクセル電極に移動することになっていることを意味するが、一方、右の列のピクセルは「未書込み済み」となり、粒子は電極23の近辺のリザーバに残ることを意味する。
【００５０】
解説として、粒子はマイナスの電荷を有することが推定されており、共通リザーバ電極はノーマル・アドレッシングのために基準電圧の0Vを持つ。
【００５１】
図3の最初のステップはグローバルリセット段階を実施することである。これは（＋V）として表わされているように、リザーバ電極23に高電圧を印加して他の電極の電圧を0Vにすることによって達成される。
【００５２】
この例では、全てのゲート電極は続いてマイナス電圧（−V）に設定され、リザーバ電極は基準電圧の0Vに戻される。これは、リザーバ23からピクセル電極に粒子が移動するのを防ぎ、該リザーバから出る粒子の移動に対して障壁を作る。
【００５３】
ピクセルのラインごと（ライン・バイ・ライン）のアドレッシングを実施するには、選択されたラインのゲート電極の電圧は、例えば0Vなどのそれほどマイナスでない電圧に設定する。図4は、最上部の行のアドレッシングを表わし、図5は最下部の行のアドレッシングを表わす。ラインが選択されると、プラスの電圧を持つピクセル電極は、図4に示されるように、電圧が0Vであるピクセル電極のピクセルが占められていない間に、粒子をピクセル内に移動させる。従って、書込みがされるピクセルのデータライン（ピクセル電極に接続している）にはプラスの電圧（V）が印加される。
【００５４】
ピクセルのライン・バイ・ライン式アドレッシングを実施するために、選択されたラインのゲート電極28の電圧は、例えば0Vなどそれほどマイナスでない電圧に設定する。図4は最上行のアドレッシングを表わし、図5は最下行のアドレッシングを表わす。ラインが選択されると、プラスの電圧を持ったピクセル電極は粒子がピクセル内に移動する原因となり、それは図4に見られるようにピクセル電極の電圧が0Vのピクセルが占められていない間に起こる。従って1つのピクセルに書き込まれるデータライン（ピクセル電極26に接続している）にはプラスの電圧（V）が与えられる。
【００５５】
図4に見られるように、選択されていない行のゲート電極28は、書込み電圧がプラスのデータ列においても粒子の移動は全て妨げる。言い換えれば、図4の左下のピクセルはその行が選択されていないため、及びゲート電極28が粒子を電極23から離れる方向に移動させるのを妨げる障壁として働いているため、まだ書込みがされていない。
【００５６】
ピクセルの充填が完了した後、ゲート電極はマイナスの電圧に戻り、必要ならば次のラインが選択され、該ラインのピクセルが充填される。これは図5に示されている。
【００５７】
駆動方式には、ピクセルへのデータ書込みの前に振動（shaking）パルスなどの追加の段階が使用されてもよい。しかし、更新時間は図4及び図5に表わすようにアドレッシング段階によって独占され、その間粒子は選択的にストレージ電極からピクセル電極へと移動させられる。このアドレッシング・タイムは表示デバイスに現存するライン数に対応する。ラインタイムの縮小は従って、表示デバイスの更新速度に重要な影響をもたらす。
【００５８】
本発明はラピッド・ライン・アドレッシング機能を提供する。以下に説明する本発明の望ましい実施は、低コントラスト・モードも含む。この低コントラスト・モードは部分的な充填作業に基づいており、まずそれについてラピッド・ライン・アドレッシング機能の前に説明する。
【００５９】
具体的には、通常よりも短いアドレッシング・タイムが表示デバイスで使用されると、粒子は共通電極23からピクセル電極26へ完全に移動されない。部分的移動は最初の低コントラストの画像の生成を可能にするように調整することができるが、それはグレーレベルの詳細を維持する。特に、高速な更新は最終の表示状態よりもコントラストを低くするが、グレーレベルの少なくとも1つの中間レベルをピクセルの最も明るい状態と最も暗い状態の間の状態に保つ。
【００６０】
図6は、表示された画像のラインタイムの減少が一般的にどうコントラストに影響するか表わすために、コントラスト変調対ラインタイムをグラフで表わす。
【００６１】
ライン60は、コントラスト比９：１までの標準充填速度を表わす。ライン62はさらに10%の粒子が入っている表示デバイスのレスポンスを表わす。このピクセルの過充填は、表示デバイスが実際に駆動される最大のコントラストよりも高いコントラストを可能にする粒子数を与え、図6はこの過充填が該表示デバイスのアドレッシング・タイムの縮小を可能にするか表わす。
【００６２】
コントラスト変調は、(Lwhite-Lblack)/(Lwhite+Lblack)で定義されており、Lwhite及びLblackは白及び黒の状態でのルミナンス（luminance）値を表わす。コントラスト変調は、感知するコントラストのコントラスト比よりも良い概算であることから、グラフとして示す。
【００６３】
ライン60は、コントラスト９：１に最適化された粒子密度での標準的なセルの作用を表わす。Ｘ軸のタイムスケールは任意だが、表示例はコントラスト８：１に達する時間の約160秒を表わす。垂直の点線はコントラスト比の８：１（コントラスト変調＝0.778）に達する時間及び４：１（コントラスト変調＝0.6）に達する時間を示す。
【００６４】
計算された作用は、充填速度が共通電極に残った粒子数の関数であると推定して表わされ、指数関数的な性質を見せる。さらに、ルミナンスは充填の量に対して指数関数的に減少する関数である。
【００６５】
最後に、最初の粒子がゲート電極を通過するまでに多少時間がかかるためタイムラグの10秒が考慮される。これはタイム軸上でコントラストが変化し始めるポイントとして見ることができる。
【００６６】
ライン62は浮遊している粒子がさらに10%多いセルにおけるコントラスト対時間を表わす。これは、ラインタイムが通常よりも2.5倍短縮することを可能にし、コントラスト８：１に達する。
【００６７】
最初の画像のコントラストは他よりも低いコントラストが充分である。例えば、コントラストの４：１（コントラスト変調の0.6）が最初のフレームには充分だと考えられる。この場合、必要な時間は過充填された粒子セルでは43秒となり、又は標準的なセルでは60秒である。これは、過充填のケースでは倍数3.7の速度改善及び標準のケースでは2.7を提供する。
【００６８】
このコントラスト比４：１は、読込み可能な画像を意味し、例えば電子ペーパーのアプリケーションにおける新聞のプリントには充分である。適用によってはこの比は、例えば２：１に下げることもできる。それに続くフレームでは、コントラスト比を改善するために粒子をさらに多くピクセルの表示部分に移動させることができる。
【００６９】
時間をさらに縮小することはもちろん、最初の画像のコントラストを、例えばコントラスト変調0.4又はそれ以下に低くすることによって達成できる。
【００７０】
基本的に、インプレーン型電気泳動表示デバイスには、グレースケールを作り出す2通りの方法がある。1つは一定の電圧レベルでのアドレッシング段階の間でデータパルス幅を変える方法で、もう1つはデータ電圧レベルを変える方法である。
A.  電圧レベルの変動
違ったピクセルは違った電圧で駆動されるように、データ電圧レベルの変動がグレースケールの生成の方法として使用される場合、表示デバイスをさらに短いラインタイムで操作しながらも電圧は同じ値に維持することによってコントラスト比はさらに低くなる。望まれる値の全ての最終グレースケールは、最終フレームの後はそれまでのグレースケールと異なり、そして最初のフレームはピクセルの充填量の観点からすれば、実質的には最終画像のスケール調整版としての画像を示す。
【００７１】
駆動シグナルが変動する様子は図7に図式的に表わされ、同じ時間内で違った高さの電圧パルス70を示す。これらは時間軸に沿って圧縮されている。
【００７２】
印加される電圧はシンプルなスケーリングよりもさらに複雑な方法で変えることができ、これはもっと明るいグレースケールをそれらの最終値に持っていくのに望ましい。画像の内容によっては、これは同じ電圧に保つよりもさらに良い画像をもたらす。
【００７３】
図8はこの一例を表わし、明るい方のピクセルではコントラストを改善するために最初に移動している粒子がない。
【００７４】
この場合、選択された如何なるラインタイムにおいても、ある一定の電圧の調節加減はグレーレベルに依存する。そしてこの実行には、マッピングが特定のグレーレベル及び選択されたラインタイムを考慮する必要があり、そうすると望まれる電圧が可能なラインタイム及び望まれるグレーレベルに基づいて決定できる。
B.  パルス長の変動
データパルスの長さの変動がグレースケールの生成の方法として使用される場合、それぞれの選択されたラインタイムのための最初のパルス長から最終パルス長までの単純なマッピングカーブが存在する。
【００７５】
このケースでは、他よりも短いラインタイムでの表示デバイスの操作は異なった方法で実行できる。
(i)  全てのデータパルス長は、固定された電圧パルス90を表示する図9で図式化されているように直線的にスケーリングができる。これは最終画像に比較してさらに低いコントラスト及び同じ数のグレースケールに至る。しかし、グレーレベル間のL＊（感知された輝度）の違いは最終フレームの後のL＊の違いに比例しない。電圧の直線的スケーリングのように、最初の画像は、ピクセルの充填レベルの観点からすれば最終画像のスケール調整版を効果的に含み、全てのラインはそれに続くフレームでアドレッシングする必要がある。
(ii)  全てのデータパルス長はグレーレベル間で最終フレームのように、一定の
感知輝度L＊を達成するために非直線的な方法でスケール設定される。それでもこれは最終画像に比較すれば、さらに低いコントラスト及び同じ数のグレースケール数をもたらす。全てのラインは再び、次に続くフレームでアドレッシングする必要がある。グレーレベル間で感知されるコントラスト比は直線的にスケール設定されていなく、グレーレベルの感知を一定にするステップが単純な直線的スケーリングでないのはこのためである。
(iii)  縮小されたラインタイムよりも長いデータパルスだけが該ラインタイムにカッ
トされる。これは図10に示されている。点線が切断タイムを表わし、表示例では、第1に暗いピクセルのパルス時間が切られており、第2に明るいピクセルには切られたパルス時間はない。そして第3のピクセルはリミットに達しているため、パルス時間のクリップ（clip）はない。これは軽いキャッピング機能を表わし、特に、閾値よりも暗いピクセルを閾値にキャップする。これは最終画像に比較してグレースケール数が低い画像をもたらす。この手法の利点は、それに続くフレームにおいて最も低いグレーレベルのピクセルを含むライン（最も暗いはずで最初のフレームの段階で切り取られた）のみがアドレッシングされる必要がある。
【００７６】
最初の画像が作成された方法に関わらず複数のフレームにおいて画像を生成する多数の選択技もある。
【００７７】
ある一例では、良質な画像に至るよう必要なだけ多くのグレースケールで低コントラストの画像が最初に作成される。ラインタイムは更新を速くするために短い。
【００７８】
次の更新では、コントラストはピクセルのルミナンスを最も低いグレーレベルに下げることによって改善される。この更新では、比較的速いコントラスト改善につながるように全てのラインをアドレッシングする必要はない。
【００７９】
最後に、中間グレーのピクセルでのエラーは修正することができ、また全てのラインをアドレッシングする必要はない。
【００８０】
このフレームを生成する方法は最初の段階において電圧及び／又はデータパルスのパルス長を変えることによって達成できる。3つの段階はそれぞれにおいて複数のアドレスを含む。
【００８１】
異なる段階を混ぜることも可能である。例えば、表示デバイスのある特定の部分はコントラスト改善のアドレッシング段階のみを必要とし、グレースケールはほとんど含まないが、該画像の他の部分はグレースケール数が多く、最初の低コントラスト・アドレッシングの後及びコントラスト改善段階の前にグレーレベル修正段階を適用することによって最も改善する。
【００８２】
適用する正確な手法は画像の内容により、パネルの1ラインごとに異なってもよく、多くの表示デバイスの画像の処理をする中央コンピューターにおいてオフラインで計算してもよい。
【００８３】
過充填した表示デバイスでは（例えば上記で説明されたようにピクセルが望ましいコントラストレベルを達成できるのに必要である10%余分な粒子）、標準の量で充填された表示デバイスよりも大きい最終コントラストを達成することが可能だが、毎回パネルを最大コントラストで操作する必要はない。
【実施例３】
【００８４】
上記の説明は単純な、3つの電極を持つピクセルの設計に関する。さらに複雑なピクセル電極の設計も可能であり、図11は一例で本発明の方法を適用できるデバイスの第1実施形態を反映する。
【００８５】
図11に表わされるように、各ピクセル110は4つの電極を有する。これらのうち2つは各ピクセルを個別に識別するためのもので、行選択ライン電極111及び書込み列電極112という方式で識別する。その上、一時的なストレージ電極114及びピクセル電極116がある。
【００８６】
この設計では、ピクセルは再びコントロール電極111、112の近辺とピクセル電極116との間の粒子の運動を提供するように設計されているが、一時的なストレージリザーバとしての働きをする中間電極114が提供される。これはライン・バイ・ラインのアドレッシングの間の移動距離を縮小することを可能にし、一時的な電極114からピクセル電極116までのさらに大きな移動距離を並列で実行できる。図11はピクセル・エリアを110として表わす。
【００８７】
アドレッシング時間は従って、移動する距離が縮小したこと及び増大した電界により粒子の速度が増加したことによってさらに速くなる。
【実施例４】
【００８８】
他の電極の設計及び駆動法も可能である。図12は図11に似た電極の配置の作動について説明する。コレクタ電極120、ゲート電極122及び2つのピクセル電極12４：１26がある。これらのうち最初の電極124は、図11に参照して説明されたように一時的なストレージ電極として考えられる。
【００８９】
右の列の画像は表示エリアに移動させられた粒子を持つピクセルの電圧の配列を表わし、左の列の画像は粒子がコレクタ・エリアに留まっているピクセルの電圧の配列を表わす。
【００９０】
第1に、リセット段階において（プラスの電荷を持つと推定された）全ての粒子は、全てのピクセルで同時にコレクタ電極120にひきつけられる。
【００９１】
次に、1行毎に、選択されない行よりもゲート電圧を低くすることによってそれぞれの行が選択される。表示した例では、選択された行（「select」）は0Vのゲート電圧を持つが、選択されていない行（「non-select」）は＋20Vのゲート電圧を持つ。書込みがされないピクセルは−10Vのコレクタ電圧を持ち、書込みがされるピクセルは＋10Vのコレクタ電圧を持つ。図式的に表わされるように、選択された行の書込みがされるピクセルにおいてのみ、一時的なストレージ電極としての働きをする第1ピクセル電極124に向けての粒子の移動がある。第2ピクセル電極126の電圧を第1の電圧よりも低くすることも可能であり、その場合、粒子は第2ピクセル電極126の方向に向かってさらに輸送され、第2ピクセル電極はそのとき一時的なストレージ電極として働く。
【００９２】
表示デバイス全体はこのような方法でアドレッシングがされる。
【００９３】
次の進展段階では、全てのピクセルで同時に、第1ピクセル電極124（あるいは第2ピクセル電極126）に書込まれた粒子が、図式的に表わされるように、反対側のピクセル電極にひきつけられ次に2つのピクセル電極の電圧を同じにすることによって両電極の間に分散される。
【００９４】
最後に保留段階では、ゲートは適度の反発電圧（示された例では＋5V）に設定され、従ってコレクタ120の粒子及び表示エリアの粒子の両方がそれらの位置に維持され、書き込まれた画像は見える状態のままであるという条件が満たされる。選択的に第2ピクセル電極の電圧は、ゲート電極122の反発作用とバランスをとるためにそれよりもわずかに反発的な値（示された例では＋1V）にすることができる。双安定電気泳動表示デバイス粒子の場合は、全ての電極を0Vにすることも可能で、それはブラウン運動が該粒子の双安定性によって抑制されるためである。
【００９５】
この例では、コレクタ電極は列データ電圧ラインの一部で、ゲート電極は行選択電圧ラインの一部である。その代わりに、コレクタ電極を行及びゲート電極を列として配線することも可能である。典型的な電子棚札では（垂直）列の数は（水平）行の数よりも圧倒的に大きく、従って合計の更新タイムは列がデータに使用され行が選択に使用されると最も短くなる。しかし、原理として、列の後に列（コレクタとしての列とゲートとしての列を一緒に）アドレッシングをすることも可能である。
【００９６】
上記で説明された高コントラストモード及び低コントラストモードは、電子棚札の応用において特別な興味の対象である。最初の低コントラストの画像は、下書きのプレビュー・モードとして使用することができ、低画質で画像のプレビューが可能である。これは、画像のコントラストの可読性がまだ充分な間（例えばコントラスト比が２：１）に更新時間を10倍縮小できる。
【００９７】
最初の低コントラストモードにおいて得られた時間の縮小は、コントラストの減少を上まわってもよい。これは、粒子移動及び目の特性は非常に非直線型であるという理解に基づく。例えば、わずか10%のラインタイムで、概ね25%の粒子が輸送され、達成可能な最大コントラストの40%の感知されるコントラスト（L＊）が生じる。
【００９８】
このラインタイムとその結果として生じる画質の関係は、画質とラインタイムの関係を表わす図13に示されるように極めて非直線型である。
【００９９】
実験結果によると、ラインタイムの10倍の縮小（例えば10秒から1秒への縮小）の結果コントラストが７：１から２：１に喪失することが示されている。これは予想を下回る喪失であり、上記で述べた全ての粒子の25%の移動に相当する。その上、観測者にとって２：１のコントラストは画像を点検するには充分である。実際、光学コントラストを明るい状態及び暗い状態のルミナンスの比で表わすことは、人間の目による画像の感知の仕方の良し悪しには正確には反映しない。上記で概説したように、ルミナンス値はL＊の値で表わした方が良く、その結果、視聴者にとって２：１コントラストは、７：１コントラストの範囲の40%として感知される。
【０１００】
本発明は特に、ライン・バイ・ライン（ロー・バイ・ロー）法による部分的な画像の書込みに続いて画像表示を並列で完成させる表示デバイスに関する。これは画像の書込み時間を縮小するものの、表示デバイスの狭い領域に速く書込みすることは不可能であることを意味し、ロー・バイ・ロー法によるアドレッシング段階が完全に終了するまでは画像の書込みを開始することができない。本発明は、追加のラピッド・ライン・アドレッシング機能を提供する。この特徴の利益をこれから電子札の応用に照らしながらさらに詳細に説明する。典型的な電子棚札では、ディプレイの幅は棚の形に合わせるため、高さよりもずっと大きい。パッシブ・マトリックス・アドレッシングでは（選択）行を最も大きい寸法及び（データ）列を最も小さい寸法に沿って配置するのが最もふさわしい。寸法が100cmｘ3cmの典型的な電子棚札はその結果3000列及び100行を含む。
【０１０１】
上記で説明した低解像度の画像はレビュー画像とすることができ、ユーザーが最大画質の画像を必要とせずにデータ内容をチェックすることを可能にする。それに続く全画質の画像は顧客画像である。例えば、閉店している時に低解像度モードを使用し、開店時間中に高解像度モードを使用することができる。
【実施例５】
【０１０２】
図14は図12のピクセル電極がこの追加の駆動モードでどのようにコントロールされるか表わす。同じピクセル電極が示されており、つまり隠れたコレクタ電極130、ゲート電極132及び2つのピクセル電極134、136を示す。2つのピクセル電極134、136はそれらの間に分散する粒子が表示される空間を定義する。
【０１０３】
ファスト・アライメントモードの出発点は、図12のように表示デバイスが保留モードにあることである。ゲート電極132は、（隠れた）コレクタ130および表示エリアの間での粒子輸送を防ぐために反発電圧（例えば＋5V）に設定される。保留モードでは、全ての粒子は、図14の第1行で図式的に示されるようにコレクタ・エリア又は図14の第3行で図式的に示されるように表示エリアに分散する。保留モードでは、表示デバイス全面の全てのピクセルは共同の電極電圧を持つ。
【０１０４】
ファスト・アライメントモードは画像のラインを素早く表示することを可能にし、表示デバイスの画像がレベル付けする商品に対して正しく配置するように基準点を提供することを可能にする。従って、棚札の上に表示される情報は物的製品に合わせて迅速に調整することができる。商品の間取りは、違ったサイズの商品を反映するように入れ替えられる必要があるが、表示デバイスは固定され棚の一部として統合される。
【０１０５】
ファスト・アライメントモードでは、望まれるラインのコレクタ電極をゲート電極よりも反発的な電圧値に設定してもよく、コレクタからの粒子を表示エリアの中へゲート上から押し込む。これは図14の第2行に表わされている。コレクタ電圧は＋20Vとして示されている。
【０１０６】
この操作は根本的に進展段階を飛ばして進み、その結果、一定の画像データのライン表示のより高速な更新を提供する。
【０１０７】
コレクタ電極は列あるいは行として配線されており、これはライン全体（列又は行）において全てのピクセルが同時に書き込まれることを意味する。これは、ピクセルの状態の個別のコントロールは全て失われる代わりに駆動法を単純化する。対応する粒子の移動は図14の真ん中の行の右側の画像に示されている。その結果、暗いラインが表示デバイスに現れる。同時に選択された複数のラインに書き込むことも可能である。その他の全てのラインは、図14の真ん中の行の左側の画像に示されるように保留モードにとどまり邪魔されない。
【０１０８】
このモードでラインに書込みをする速度はパッシブマトリックス法でラインに書込みをするよりも速い。それは、利用可能な電圧振幅が今度はコレクタに完全に使用できるからである。さらに、粒子は進展段階を経ずに表示エリアに直接分散することができる。
【０１０９】
図15はラインの書込み時間及びその結果生じる該ラインのコントラストの間のトレードオフを表わす。表示されているように、ラインは1〜2秒で書き込むことができ、それは、小売店が電子棚札のデータを物的製品に合わせる時において表示デバイスのユーザーの反応には充分速い。
【実施例６】
【０１１０】
代替手段として、ゲート電極132をファスト・アライメントの操作に使用することも可能である。
【０１１１】
これは図16に描写されている。この場合も同様に、出発点は図16に示されるように、保留段階にある表示デバイスである。
【０１１２】
保留段階では、コレクタ130及びゲート132電極に代替の電圧を選択することも可能で、それはゲート電極が依然として反発的（実際は少なくとも5V）である限り可能である。従って、コレクタ及びゲート130、132に0V及び5Vの代わりに、図14のように＋15V及び＋20Vが可能であり、粒子をコレクタから表示エリア又はその逆方向にリークさせずに−20V及び＋5Vさえも可能である。
【０１１３】
これはさらに大きい電圧差を使用して粒子の運動をコントロールできることを意味し、保留段階に残るラインのピクセルの粒子が表示エリア及びコレクタの間で動けない状態である限り可能である。
【０１１４】
保留段階におけるこの自由度はファスト・アライメントモードに利用される。例えば、ラインを素早く書き込むには、保留モードは反発コレクタ（＋15V）及びさらに反発するゲート＋20V）を有する保留モードに変化する。ゲート電圧を（＋10Vに）下げられたラインのみにおいて、粒子がコレクタから表示エリアに押し出される。このシナリオは図16の第2行に表わされており、左の画像はコレクタと表示エリア間で動けない粒子のラインで、右の画像は書き込みされる粒子のラインである。この動作は表示デバイスのラインに非常に迅速に書き込みをする。
【０１１５】
ラインを消すには、図16の第3行に表示されているように、保留モードを引寄せるコレクタ（−20V）及び反発ゲート（＋5V）を有した保留モードに換えることができる。ゲート電圧が（−10Vに）下がっているそれらのラインにおいて、粒子はコレクタの内部へ引寄せられる。この動作は表示デバイスのラインを非常に速く消去する。
【０１１６】
図16の最終行の画像は、通常の保留モードに戻った状態を示す。
【０１１７】
任意的に、調整された保留モードにおいて、第2ピクセル電極136の電圧はゲート電極の反発動作と釣り合うように微調整することができるが、これは書込み時間が短いため絶対不可欠ではないが、その結果表示デバイスはバランス調整された保留段階に戻ることができる。この微調整は図16に表わされている。
【０１１８】
図17から図19までは電子札の応用のファスト・ライン書込み法をさらに明確に示す。
【０１１９】
図17Aは、垂直のラインの速い書込みが可能だということを表わす。これらは棚の上の製品間の境界を定めるのに使用でき、表示されている他のデータよりも速く書き込むことができる。そうすることによって、垂直のラインが製品をどこに配置する必要があるか決めるため、棚の積み重ねを表示デバイス全体の表示を待つことなく実行することができる。
【０１２０】
図17Bは、部分的な充填機能を表わし、１束の列が、例えば在庫切れの製品などの情報を隠す／消すために同時に黒く書き込まれている。
【０１２１】
図18は、もはや在庫にないサイズ（L−large）を消すために修正された画像を表わす。
【０１２２】
図19は、境界線を点滅させることができることを示す。
【０１２３】
上記の画像修正は存在する画像に適用されており、高速ライン書込みは従って、存在する画像の保留モードに続いて起こる。画像は、望まれる高速な画像修正が完全な行及び列の組み合わせで形成されるように設計される。
【０１２４】
上記の例は、ピクセルの個別のアドレッシングを可能にするためにゲート電極を使用する。パッシブマトリックス法は、閾値の電圧レスポンスを使用し、既にアドレッシングされた他の行に影響せずに一行のピクセルのアドレッシングを可能にする。そのような場合、行及び列の電圧の組み合わせは、閾値はアドレスされたピクセルでのみ超え、その他の全てのピクセルは以前の状態に保留することができる。本発明は閾値レスポンスをマトリックスアドレッシング法の一部に使用して表示デバイスに応用することができる。これは上記で説明されたゲート電極の使用の代わりに又はそれと共に使用してもよい。
【０１２５】
本発明はインプレーン型スィッチング方式表示デバイス技術に最大の利益をもたらす。
【実施例７】
【０１２６】
図20は、本発明の表示デバイス160がピクセル配列、行ドライバ164、列ドライバ166及びコントローラー168を有する表示デバイスパネル162として実施することができることを図式的に表わす。コントローラーは、多数のアドレッシング方法を実施し、1つの例において、第1アドレッシング・サイクルのターゲット・ラインタイムによって異なる駆動法を実施することができる。
【０１２７】
本発明は多くの他のピクセル配置に適用することができ、電気泳動表示デバイス又はパッシブマトリックス方式表示デバイスに限定されない。本発明は、アドレッシング・タイムが長いことからパッシブマトリックス式表示デバイスにとって特に興味深いものであるが、アクティブマトリックス式表示デバイスにとっても利点が得られる。
【０１２８】
最終的に表示された画像は低コントラストであるが、グレースケールの値は維持される。グレースケールの数は選択された方法に依存するが、通常は少なくとも最終画像の半分の値にある。
【０１２９】
本発明は、説明した電子札の例を含む多数の異なる応用に適用することができるが、さらに一般的に、駆動速度の増加が望まれる任意の応用に適用することができる。
【０１３０】
「行」という用語は本文書ではいくらか任意であり水平方向にだけ限定されていると理解するべきではない。その代わりに、ロー・バイ・ロー式アドレッシング法は、単にライン・バイ・ライン式アドレッシング・シーケンスに言及する。行は表示デバイスの上下又は左右に走ってもよく、並列アドレッシングが可能なピクセルのラインである。
【０１３１】
本発明は図及び前述の説明において詳細に例証及び描写されているが、そのような例証及び描写は実例的及び典型的であって限定的ではないと見なされるべきである；本発明は開示した実施形態に限定されていない。本発明の変化形は記載されている発明の実施において図の研究、開示、及び付随の請求項から当業者が理解及び達成することができる。請求項における、「有する」又は「含む」という用語は他の要素を除外するわけではなく、単数としての語句は複数の要素を除外しない。特定の基準が相互的に異なる請求項に記載されているという単なる事実はこれらの基準の組み合わせを利用してはいけないことは示していない。請求項のいかなる参照符号も本目的を限定するものとして解釈すべきではない。
【符号の説明】
【０１３２】
4…側壁
6…インク粒子
8…照明
10…カラーフィルター
12…共通電極
14…ストレージ電極
16…ゲート電極
18…遮光体
20…第1列電極
22…共通リザーバ電極
23…スパーズ（spurs）
24…第2列電極
26…ピクセル電極
28…ゲート／選択電極
30…ピクセル・エリア
60…コントラスト９：１の標準的なセル
62…浮遊粒子が10%過充填されたセル
111、112…コントロール電極
110…ピクセル
114…中間電極
116…ピクセル電極
120…コレクタ電極
122…ゲート電極
124…ピクセル（ストレージ）電極
126…ピクセル電極
130…コレクタ電極
132…ゲート電極
134、136…ピクセル電極
160…表示デバイス
162…表示デバイスパネル
164…行ドライバ
166…列ドライバ
168…コントローラー
【図１】
2010511200.tif 000003
【図２】
2010511200.tif 000004
【図３】
2010511200.tif 000005
【図４】
2010511200.tif 000006
【図５】
2010511200.tif 000007
【図６】
2010511200.tif 000008
【図７】
2010511200.tif 000009
【図８】
2010511200.tif 000010
【図９】
2010511200.tif 000011
【図１０】
2010511200.tif 000012
【図１１】
2010511200.tif 000013
【図１２】
2010511200.tif 000014
【図１３】
2010511200.tif 000015
【図１４】
2010511200.tif 000016
【図１５】
2010511200.tif 000017
【図１６】
2010511200.tif 000018
【図１７】
2010511200.tif 000019
【図１８】
2010511200.tif 000020
【図１９】
2010511200.tif 000021
【図２０】
2010511200.tif 000022
【国際調査報告】
2010511200.tif 000023
2010511200.tif 000024